(57)【要約】  【課題】  電波の送信が禁止された場所であっても、電波の送信を必要としない他の機能を使うことが出来る携帯電話機を提供する。  【解決手段】  携帯電話機１０の制御部１０２は、電波の発信を許可する「オン」及び発信を禁止する「オフ」を示す電波モードを設定し、設定した電波モードを内部に記憶する。記憶している電波モードが「オフ」の場合は、発信、メール受信等の入力を受け付けても電波の発信を抑制する。電波の送信が禁止された場所であっても、電波モードを「オフ」に設定することで、他の機能を使用することが出来る。  【選択図】  図３
2005237029.tif 000002
【特許請求の範囲】
【請求項１】
無線電波を用いて通信する携帯電話機であって、
電波の発信を許可することを示すオン、及び電波の発信を抑制することを示すオフの何れかを示す電波フラグを設定するフラグ設定手段と、
前記フラグ設定手段が設定する電波フラグがオフである場合、電波の発信を抑制する電波抑制手段と
を備えることを特徴とする携帯電話機。
【請求項２】
停止状態の主要部に対して、特定の事象が発生した場合に、電力を供給する自動電源オン機能を有する前記携帯電話機において、
さらに、前記自動電源オン機能により、前記主要部に電力を供給する際に、電波の発信を抑制するか否かの何れかを示す抑制フラグを設定する抑制フラグ設定手段を含み、
前記フラグ設定手段は、前記特定の事象が発生し、且つ、前記抑制フラグが、電波の発信を抑制することを示す場合に、電波フラグをオフに設定する
ことを特徴とする請求項１に記載の携帯電話機。
【請求項３】
前記フラグ設定手段は、利用者による電源オン操作と、特定の操作とが同時になされた場合に、電波フラグをオフに設定し、その後主要部は電力を供給されることを特徴とする請求項１に記載の携帯電話機。
【請求項４】
前記フラグ設定手段は、利用者による電源オン操作と、特定の操作とが同時になされた場合に、電波フラグをオンに設定し、その後主要部は電力を供給される
ことを特徴とする請求項１に記載の携帯電話機。
【発明の詳細な説明】
【技術分野】
【０００１】
本発明は、電波の送受信を抑制する機能を有する携帯電話機に関する。
【背景技術】
【０００２】
携帯電話機が発する電波が医療機器等に及ぼす悪影響から、病院内や、込み合った電車内などでは、携帯電話機の使用が禁止されている。この様な場所では、携帯電話機を所持している者（以下、利用者と呼ぶ）は、所持している携帯電話機の電源をオフにする必要がある。
一方、最近の携帯電話機は、着信及び発信の通話機能、メールの送受信機能に加え、電話帳の管理、スケジュールの管理、ダウンロードした音楽、画像等の再生、ゲーム等様々な機能を有する。携帯電話機が有するこれらの機能の中には、電波の送信を必要としない機能も多く含まれる。
【発明の開示】
【発明が解決しようとする課題】
【０００３】
上記のように、携帯電話機が多機能化している現在では、電波の影響のため、携帯電話機の使用が禁止されている場所であっても、受信済メール、送信済メール等の閲覧、スケジュールの管理、ゲーム等電波の送受信をしない機能を使用したいという要望がある。
上記の要望に応じるために、本発明は、電波の送信が禁止されている場所であっても、電波の送信機能を停止した状態で、受信済メール、送信済メール等の閲覧、スケジュールの管理、ゲーム等の機能を使うことが出来る携帯電話機を提供する事を目的とする。
【課題を解決するための手段】
【０００４】
上記目的を達成するために、本発明は、無線電波を用いて通信する携帯電話機であって、電波の発信を許可することを示すオン、及び電波の発信を抑制することを示すオフの何れかを示す電波フラグを設定し、設定する電波フラグがオフである場合、電波の発信を抑制する。
さらに、本発明は、停止状態の主要部に対して、特定の事象が発生した場合に、電力を供給する自動電源オン機能を有する前記携帯電話機において、前記自動電源オン機能により、前記主要部に電力を供給する際に、電波の発信を抑制するか否かの何れかを示す抑制フラグを設定し、前記特定の事象が発生し、且つ、前記抑制フラグが、電波の発信を抑制することを示す場合に、電波フラグをオフに設定する。
【０００５】
また、前記携帯電話機は、利用者による電源オン操作と、特定の操作とが同時になされた場合に、電波フラグをオフに設定し、その後主要部は電力を供給される。
【発明の効果】
【０００６】
本発明によると、電波の発信を許可することを示す「オン」及び、電波の発信を抑制することを示す「オフ」の何れかを示す電波フラグを設定し、設定した電波フラグが「オフ」である場合は、携帯電話機は電波の発信を行わないので、電波の発信が禁止された場所であっても、携帯電話機の電源をオンにして、電波の発信を必要としない他の機能を使用することが出来る。
【発明を実施するための最良の形態】
【０００７】
本発明に係る実施の形態として、携帯電話機１０について図面を用いて説明する。
１．携帯電話機１０の構成
図１は携帯電話機１０の構成を示すブロック図である。
図１に示す様に、携帯電話機１０は、送受信部１０１、制御部１０２、表示部１０３及び入力部１０４から構成される。
【０００８】
携帯電話機１０は、無線電波を用いて移動通信ができる可搬型の電話機であり、具体的には、マイクロプロセッサ、ＲＯＭ、ＲＡＭ、液晶ディスプレィユニット、キー操作部、通信部及びアンテナなどから構成されるコンピュータシステムである。
送受信部１０１は、通話、メールの送受信及びインターネット接続の通信機能を有し、無線基地局との間で無線電波の送受信を行う。
【０００９】
制御部１０２は、制御用コンピュータプログラムを記憶し、マイクロプロセッサが制御用コンピュータプログラムを実行することにより、携帯電話機１０が有する通話、メール送受信、インターネット接続、電話帳管理、スケジュール管理、マルチメディアコンテンツの再生及びゲームの機能を制御する。
制御部１０２は、更に、電波の送受信を許可する「オン」及び電波の送受信を禁止する「オフ」の何れかを示す電波モードの設定を、以下に示す様に行う。
【００１０】
制御部１０２は、入力部１０４を介して、利用者から、電波モードの入力を受け付け、受け付けた前記電波モードが、予め内部に記憶している電波モードと異なる場合は、予め記憶している電波モードに替えて、新たに受け付けた前記電波モードを記憶する。
制御部１０２は、入力部１０４を介して、利用者から、「発信」、「メールの送信」及び「インターネット接続」の入力を受け付けると、内部に記憶している電波モードを読み、電波モードが「オフ」の場合、送受信部１０１に対して、電波の送受信をしないよう指示を出力する。送受信部１０１は、前記指示を受け取ると、送受信を停止する。また、送受信部１０１は、制御部１０２から、電波の送受信を再開する指示を受け取ると、電波の送受信を再開する。
【００１１】
表示部１０３は、液晶ディスプレィを含み、制御部１０２が生成する複数の画面を液晶ディスプレィに表示する。表示部１０３は、更に、各画面において、入力部１０４が受け付けた操作指示に応じた内容を表示する。
入力部１０４は、携帯電話機１０の操作面に設けられた「０」、「１」、・・・、「９」、「上矢印」、「下矢印」、「決定」、「電源」等の複数のボタンから成り、表示部１０３が表示する各画面において、携帯電話機１０を所持している者（以下、利用者と呼ぶ）から操作を受け付け、受け付けた操作に対応する操作信号を制御部１０２へ出力する。
【００１２】
ここで、携帯電話機１０の電源オン状態及び電源オフ状態について説明する。電源オフ状態とは、監視部のみに電力が供給されている状態を示し、監視部は、アラームを管理するために駆動している時計機能と、利用者の押下により入力を受け付ける電源ボタンとを示す。
電源オン状態とは、主要部に電力が供給されている状態を示し、主要部とは、通信機能、表示機能など携帯電話機１０が有する通常の機能を達成する為に駆動する構成要素を全て含む。
【００１３】
２．携帯電話機１０の動作
携帯電話機１０の動作について、図２から図４に示すフローチャート、及び、図５から図８に示す画面の図を用いて説明する。
＜電源ボタンの押下による電源オン＞
ここでは、利用者が電源ボタンを押下することにより、携帯電話機１０の主要部に電力が供給される場合の携帯電話機１０の動作について説明する。
【００１４】
携帯電話機１０の入力部１０４は、利用者から、電源ボタンを押下することにより電源入力を受け付け（ステップＳ１０１）、電源ボタンと同時に、利用者により押下されたボタンを判断する（ステップＳ１０２）。
同時に押下されたボタンが「１」である場合は（ステップＳ１０２で「１」）、制御部１０２は、電波モードを「オン」に設定し、設定した電波モードを内部に記憶する（ステップＳ１０３）。このとき、表示部１０３が表示する画面は、一例として、図５（ｂ）に示す画面２０２であり、画面２０２は、通常の待ち受け画面である。ここで、同時に押下されるとは、ボタン「１」が押下されている時間帯において、電源ボタンの入力が検出された場合をいう。
【００１５】
同時に押下されたボタンが「０」である場合は（ステップＳ１０２で「０」）、制御部１０２は、電波モードを「オフ」に設定し、設定した電波モードを内部に記憶する（ステップＳ１０４）。このとき、表示部１０３が表示する画面は、図５（ａ）に示す画面２０１である。アンテナバー表示部には、「ＯＦＦ」と表示される。ここで、同時に押下されるとは、ボタン「０」が押下されている時間帯において、電源ボタンの入力が検出された場合をいう。
【００１６】
次に、制御部１０２は、入力を受け付けたボタンにより示される操作信号を判断する（ステップＳ１０５）。
入力を受け付けたボタンにより示される操作信号が「電波モード」である場合（ステップＳ１０５で「電波モード」）、制御部１０２は、入力部１０４を介して電波モードの入力を受け付け（ステップＳ１０６）、受け付けた電波モードを、予め内部に記憶している電波モードに書き換えて記憶する（ステップＳ１０７）。次に、ステップＳ１０５に戻り処理を続ける。
【００１７】
このとき、表示部１０３が表示する画面の例を図６に示す。図６（ａ）に示す画面３０１は、電波モードの設定を選択するときに表示される各種機能設定画面であり、アンテナバー表示部には、当該携帯電話機の電波モードが「オン」であることを示すアンテナバーが表示される。図６（ｂ）に示す画面３０２は、電波モード「オン」及び「オフ」の何れかを選択するときに表示される画面である。図６（ｃ）に示す画面３０３は、新たに設定した電波モード「オフ」を、利用者に確認するために表示される画面である。図６（ｄ）に示す画面３０４は、電波モードの設定後に表示される画面であり、アンテナバー表示部に「ＯＦＦ」と表示することにより、当該携帯電話機の電波モードが「オフ」であることを示す。受け付けたボタンにより示される操作信号が「終了」である場合（ステップＳ１０５で「終了」）、制御部１０２は、利用者により終了ボタンが押下されている時間を計測し（ステップＳ１０８）、計測した時間が３秒以上であるか否か判断する（ステップＳ１０９）。計測した時間が３秒以上であるなら（ステップＳでＹＥＳ）、制御部１０２は、主要部への電力の供給を停止し、電源オフ状態にする（ステップＳ１１０）。計測した時間が３秒以下であるなら（ステップＳ１１０でＮＯ）、ステップＳ１０５に戻り処理を続ける。
【００１８】
受け付けたボタンにより示される操作信号が「メール閲覧」である場合（ステップＳ１０５で「メール閲覧」）、制御部１０２は、受信済メール、送信済メール等の画面を内部から読み出し、読み出した各画面を表示部１０３が表示し、閲覧の処理を行う（ステップＳ１２１）。次に、ステップＳ１０５に戻り処理を続ける。
受け付けたボタンにより示される操作信号が「再生」である場合（ステップＳ１０５で「再生」）、制御部１０２は、予めダウンロードし、内部に記憶しているゲーム、アニメーション、音楽等のマルチメディアコンテンツを読み出し、表示部１０３及びスピーカーに出力し、再生の処理を行う（ステップＳ１２２）。次に、ステップＳ１０５に戻り処理を続ける。
【００１９】
受け付けたボタンにより示される操作信号が「発信」、「メール送信」及び「インターネット接続」の何れかである場合（ステップＳ１０５で「発信」、「メール送信」、「インターネット接続」）、制御部１０２は、内部に記憶している電波モードを判断する（ステップＳ１２３）。
電波モードが「オン」である場合（ステップＳ１２３で「ＯＮ」）、制御部１０２は、前記操作信号に応じ、送受信部１０１を介して、発信、メール送信、インターネット接続の処理を行う（ステップＳ１２４）。次に、ステップＳ１０５に戻り処理を続ける。
【００２０】
電波モードが「オフ」である場合（ステップＳ１２３で「ＯＦＦ」）、ステップＳ１０５に戻り処理を続ける。このとき表示部１０３が表示する画面の例を図７に示す。図７（ａ）に示す画面４０１は、前記操作信号が「発信」である場合に、表示部１０３が表示する画面である。図７（ｂ）に示す画面４０２は、前記操作信号が、「メール送信」及び「インターネット接続」の何れかである場合に、表示部１０３が表示する画面である。
【００２１】
受け付けたボタンにより示される操作信号が、他の場合（ステップＳ１０５で他）、前記操作信号に応じて他の処理を行い（ステップＳ１２５）、次に、ステップＳ１０５に戻り処理を続ける。
＜オートパワーオン＞
ここでは、予め、特定の時刻を設定し、設定した特定の時刻になると制御部１０２が、電力供給部に対して、主要部に電力を供給することを指示し、前記指示により、前記主要部に電力が供給されることにより、電源オフ状態である携帯電話機１０を電源オン状態にするオートパワーオン設定、或いは、設定した時刻になると、電源オフ状態である携帯電話機１０を電源オン状態にするとともに、スピーカーを介してアラーム音を出力するアラームパワーオン設定がなされた携帯電話機１０において、設定された特定の時刻に、電源オフ状態から電源オン状態になるとき、制御部１０２が記憶している電波モードに依らず、電波モードが「オフ」に設定される携帯電話機１０の動作について説明する。
【００２２】
先ず、上記のように、携帯電話機１０をオートパワーオン設定、又は、アラームパワーオン設定により電源オン状態にし、且つ、電波モードを「オフ」にする設定方法の一例を図８に示す。
図８（ａ）に示す画面５０１は、メインメニュー画面である。表示部１０３が画面５０１を表示している時間帯において、入力部１０４が電源ボタンの長押しを検出した場合に、制御部１０２は、オートパワーオン設定、又は、アラームパワーオン設定により携帯電話機１０が電源オン状態になると、電波モードをオフに設定することを示す抑制フラグを設定し、設定した抑制フラグを記憶する。表示部１０３は、次に、図８（ｂ）に示す画面５０２を表示し、利用者に携帯電話機１０を電源オフ状態にすること示し、続いて、図８（ｃ）に示す画面５０３を表示し、利用者にオートパワーオン時、又は、アラームパワーオン時には電波モードが「オフ」に設定されて電源オン状態になることを示す。その後、制御部１０２は、携帯電話機１０を電源オフ状態にする。
【００２３】
以下では、オートパワーオン設定、又は、アラームパワーオン設定がなされ、且つ、前記抑制フラグが設定された携帯電話機１０の動作について、図４に示すフローチャートを用いて説明する。
制御部１０２は、現在時刻が、予め設定された時刻か否か判断する（ステップＳ１５１）。現在時刻が、予め設定された時刻である場合（ステップＳ１５１でＹＥＳ）、制御部１０２は、電力供給部に対して、主要部に電力を供給する指示を出力し、前記電力供給部が、前記主要部に電力を供給することにより、携帯電話機１０を電源オン状態にする（ステップＳ１５２）。次に、制御部１０２は、内部に記憶している電波モードを読み、前記電波モードが「オフ」であるなら、そのまま処理を続ける。前記電波モードが「オン」であるなら、電波モードを「オフ」に換えて記憶する（ステップＳ１５３）。
【００２４】
ステップＳ１５１において、現在時刻が予め設定された特定の時刻でない場合（ステップＳ１５１でＮＯ）、制御部１０２は、ステップＳ１５１を繰り返す。
３．まとめ
以上説明したように、本発明によると、携帯電話機１０の制御部１０２は、電波の送信のオン及びオフの何れかを示す電波モードを設定し、記憶する機能を有し、発信、メール送信等の操作指示を受け付けると、内部に記憶している電波モードを読み、当該電波モードがオフである場合は、送受信部１０１が有する電波の送信機能を抑制する。
【００２５】
なお、本発明を上記実施の形態に基づき説明してきたが、本発明は、上記実施の形態に限定されず、以下の様な場合も本発明に含まれる。
（１）上記実施の形態では、表示部１０３が表示する各種機能設定画面において、入力部１０４を介して制御部１０２が電波モード設定の入力を受け付けることにより、電波モードを設定する構成としているが、設定方法はこれに限定されない。例えば、入力部１０４が、従来の「マナーボタン」に類似した「電波ボタン」を含み、利用者が「電波ボタン」を押下することにより、電波モードのオン、オフを切り替える構成としてもよい。
【００２６】
（２）上記実施の形態では、携帯電話機１０の電源ボタンと同時にボタン「０」を長押しすることにより、電源オン時に電波モードを「オフ」に設定し、電源ボタンと同時にボタン「１」を長押しすることにより、電源オン時に電波モードを「オン」に設定する構成としているが、設定方法はこれに限定されない。電源ボタンと同時に押下するボタンは「０」と「１」以外であってもよいのは勿論である。
【００２７】
（３）上記実施の形態では、携帯電話機１０のオートパワーオン時に、電波モードを「オフ」にすることを設定する設定方法として、メニュー画面において電源ボタンを長押しして、電源オフ状態にする構成としているが、設定方法はこれに限定されないのは勿論である。一例として、オートパワーオン時刻を設定する画面において、オートパワーオン時に電波モードをオフにするよう設定を行う構成としてもよい。
【００２８】
（４）なお、携帯電話機１０の電波モードが「オフ」に設定された状態であっても、入力部１０４が、「１１０番」、「１１９番」、「１１８番」等、緊急通報の電話番号の発信を受け付けた場合は、制御部１０２は、電波モードを「オン」に切り替え、発信の処理を行う構成としてもよい。
（５）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００２９】
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ−ＲＯＭ、ＤＶＤ−ＲＡＭ、半導体メモリ等に記録したものとしてもよい。また、これらの記録媒体に記録されている前記コンピュータプログラム又は、前記デジタル信号を電気通信回路、無線又は有線通信回路、インターネットを代表とするネットワーク等を経由して伝送するものとしてもよい。
【００３０】
また、本発明は、マイクロプロセッサとメモリとを備えたコンピュータシステムであって、前記メモリは、前記コンピュータプログラムを記憶しており、前記マイクロプロセッサが前記コンピュータプログラムに従って動作するとしてもよい。
また、前記プログラム又は前記デジタル信号を前記記録媒体に記録して移送することにより、又は、前記プログラム又は前記デジタル信号をネットワーク等を経由して移送することにより、独立した他のコンピュータシステムにより実施するとしてもよい。
【００３１】
（６）上記実施の形態及び上記変形例を組み合わせるとしてもよい。
４．発明の効果
以上説明したように、本発明は、無線電波を用いて通信する携帯電話機であって、電波の発信を許可することを示すオン、及び電波の発信を抑制することを示すオフの何れかを示す電波フラグを設定するフラグ設定手段と、前記フラグ設定手段が設定する電波フラグがオフである場合、電波の発信を抑制する電波抑制手段とを備える。
【００３２】
この構成によると、電波の発信を許可することを示す「オン」及び、電波の発信を抑制することを示す「オフ」の何れかを示す電波フラグを設定し、設定した電波フラグが「オフ」である場合は、携帯電話機は電波の発信を行わないので、電波の発信が禁止された場所であっても、携帯電話機の電源をオンにして、電波の発信を必要としない他の機能を使用することが出来る。
【００３３】
ここで、本発明は、停止状態の主要部に対して、特定の事象が発生した場合に、電力を供給する自動電源オン機能を有する前記携帯電話機において、さらに、前記自動電源オン機能により、前記主要部に電力を供給する際に、電波の発信を抑制するか否かの何れかを示す抑制フラグを設定する抑制フラグ設定手段を含み、前記フラグ設定手段は、前記特定の事象が発生し、且つ、前記抑制フラグが、電波の発信を抑制することを示す場合に、電波フラグをオフに設定するように構成してもよい。
【００３４】
この構成によると、携帯電話機の使用が禁止されている場所で、携帯電話機の電源をオフにしているとき、オートパワーオン機能等により電源がオンになる場合、当該携帯電話機が記憶している電波フラグに関わらず、電波フラグは「オフ」に設定されるので、利用者が、携帯電話機の電源がオンになったことに気付かない場合であっても、電波の発信を抑制することができる。
【００３５】
ここで、前記フラグ設定手段は、利用者による電源オン操作と、特定の操作とが同時になされた場合に、電波フラグをオフに設定し、その後主要部は電力を供給されるのように構成してもよい。
この構成によると、利用者が電源ボタンを押下する時、電波フラグが「オフ」に設定されるので、電波の発信が禁止された場所で携帯電話機を使用するとき、電源をオンにした後、電波モードを「オフ」に設定するまでの時間帯において、電波の発信を抑制することができる。
【００３６】
ここで、フラグ設定手段は、利用者による電源オン操作と、特定の操作とが同時になされた場合に、電波フラグをオンに設定し、その後主要部は電力を供給されるように構成してもよい。
この構成によると、携帯電話機の電源がオフ状態で、且つ、記憶されている電波フラグが「オフ」である場合、電源オンと同時に電波フラグを「オン」に設定できるので、緊急時において、電源投入後、直ちに、電波を発信することができる。
【図面の簡単な説明】
【００３７】
【図１】携帯電話機１０の構成を示すブロック図である。
【図２】携帯電話機１０の動作を示すフローチャートであり、図３に続く。
【図３】携帯電話機１０の動作を示すフローチャートであり、図２から続き、図２に戻る。
【図４】携帯電話機１０のオートパワーオン時の動作を示すフローチャートである。
【図５】（ａ）電源ボタンと共に、ボタン「０」を押下したとき表示部１０３が表示する画面２０１の図である。
【００３８】
（ｂ）電源ボタンと共に、ボタン「１」を押下したとき表示部１０３が表示する画面２０２の図である。
【図６】（ａ）電波モードが「オン」に設定されている携帯電話機１０の表示部１０３が表示する各種機能設定画面である画面３０１の図である。
【００３９】
（ｂ）表示部１０３が表示する画面３０２の図であり、画面３０２は、電波モード「オン」及び「オフ」の何れかを設定するために用いられる。
（ｃ）表示部１０３が表示する画面３０３の図であり、画面３０３は、設定された電波モードを利用者に確認するために用いられる。
（ｄ）電波モードが「オフ」に設定されている携帯電話機１０の表示部１０３が表示する各種機能設定画面である画面３０４の図である。
【図７】（ａ）電波モードが「オフ」に設定された携帯電話機１０において、「発信」の入力を受け付けたとき、表示部１０３が表示する画面４０１の図である。
【００４０】
（ｂ）電波モードが「オフ」に設定された携帯電話機１０において、「メール送信」及び「インターネット接続」の何れかの入力を受け付けたとき、表示部１０３が表示する画面４０２の図である。
【図８】（ａ）表示部１０３が表示するメインメニュー画面である画面５０１の図である。
【００４１】
（ｂ）表示部１０３が表示する画面５０２の図である。
（ｃ）表示部１０３が表示する画面５０３の図であり、画面５０３は、オートパワーオン時に電波モードが「オフ」に設定されることを示す画面である。
【符号の説明】
【００４２】
１０    携帯電話機
１０１    送受信部
１０２    制御部
１０３    表示部
１０４    入力部
【図１】
2005237029.tif 000003
【図２】
2005237029.tif 000004
【図３】
2005237029.tif 000005
【図４】
2005237029.tif 000006
【図５】
2005237029.tif 000007
【図６】
2005237029.tif 000008
【図７】
2005237029.tif 000009
【図８】
2005237029.tif 000010